【手続補正書】
【提出日】平成20年1月10日(2008.1.10)
【手続補正１】
【補正対象書類名】特許請求の範囲
【補正対象項目名】全文
【補正方法】変更
【補正の内容】
【特許請求の範囲】
【請求項１】
ホスト装置に結合されるように構成され、燃料を含む燃料サプライにおいて、
前面フェースと少なくとも１つの機能要素とを有し、
上記少なくとも１つの機能要素は上記燃料サプライ上に形成された基準に応じて配置され、
上記燃料サプライが上記ホスト装置に結合されたときに、上記前面フェースが上記ホスト装置の対応するフェースに対向し、上記基準が上記ホスト装置上の照合基準と照合し、上記少なくとも１つの機能要素が上記ホスト装置上の対応する結合と連結されることを特徴とする燃料サプライ。
【請求項２】
上記ホスト装置は、燃料電池が電力供給する電子装置、または、燃料電池、または、充電器である請求項１記載の燃料サプライ。
【請求項３】
上記少なくとも１つの機能要素は上記カートリッジの前面フェース上に、または、上記カートリッジの側部上に、または、上記カートリッジの頂部上に、または、上記カートリッジの底部上に、または、上記カートリッジの背面部上に配置される請求項１記載の燃料サプライ。
【請求項４】
上記前面フェースは実質的に平坦である請求項１記載の燃料サプライ。
【請求項５】
上記前面フェースは同一平面上にない少なくとも１つの部分を有する請求項１記載の燃料サプライ。
【請求項６】
上記少なくとも１つの機能要素は上記同一平面上にない上記部分の１つに配置される請求項５記載の燃料サプライ。
【請求項７】
上記少なくとも１つの機能要素は上記基準に一致する請求項１記載の燃料サプライ。
【請求項８】
上記基準は前面フェース上に配置される請求項１記載の燃料サプライ。
【請求項９】
上記少なくとも１つの機能要素は、遮断バルブ、メモリ記憶装置、機械接続部、電気接続部、油圧接続部、センサ、ロック、ラッチ、燃料充填ポート、再充填バルブ、配向外観、またはガイドを有する請求項１記載の燃料サプライ。
【請求項１０】
上記基準は、角の基準、突出した基準、幅の基準、直交する基準点からなる基準、ノッチの基準、２つの直交する脚部からなる基準、または、ピンの基準のうちの少なくとも１つの基準を含む請求項１記載の燃料サプライ。
【請求項１１】
上記少なくとも１つの機能要素の位置は上記基準からデカルト座標、または、球座標で測定される請求項１記載の燃料サプライ。
【請求項１２】
上記前面フェースの一部および上記ホスト装置の対応するフェースの一部が標準化されている請求項１記載の燃料サプライ。
【請求項１３】
上記燃料サプライが上記ホスト装置に結合された後の状態で、上記燃料サプライが上記ホスト装置の外部表面の一部を形成する請求項１記載の燃料サプライ。
【請求項１４】
上記基準は特定の燃料に対応して選択される請求項１記載の燃料サプライ。
【請求項１５】
燃料サプライをホスト装置に結合するアダプタにおいて、
上記ホスト装置上の対応する第１の結合部に連結するように構成された少なくとも１つの第１の機能要素を有し、
上記第１の機能要素は上記アダプタ上に配置された第１の基準に対応して配置され、上記第１の基準は上記ホスト装置上の第１の照合基準に照合し、かつ、
上記アダプタは上記燃料サプライに結合され、燃料が上記燃料サプライから上記ホスト装置に輸送されることを特徴とするアダプタ。
【請求項１６】
上記アダプタは上記燃料サプライに少なくとも１つのチューブにより結合される請求項３２記載のアダプタ。
【請求項１７】
上記アダプタはマニホールドにより上記燃料サプライに結合される請求項３２記載のアダプタ。
【請求項１８】
上記アダプタは複数の燃料サプライに結合され、上記燃料サプライが相互に流体連通されている請求項３２記載のアダプタ。
【請求項１９】
少なくとも１つの第２の接続部が上記燃料サプライ上の対応する第２の機能要素に連結するように構成され、上記燃料サプライが機能的に上記ホスト装置に連結され、上記第２の機能要素が上記燃料サプライ上の第２の基準に対応して配置され、さらに、
上記第１の機能要素の上記第１の基準に対する位置が、上記第２の機能要素の上記第２の基準に対する位置と実質的に同一である請求項３２記載のアダプタ。
【手続補正２】
【補正対象書類名】明細書
【補正対象項目名】００４９
【補正方法】変更
【補正の内容】
【００４９】
添付図面は明細書の一部を形成し、明細書との関連において理解されるべきであり、種々の図において類似の参照番号は類似の部分を示すために用いられる。添付図面は以下の通りである。
なお、以下に、上述実施例の技術的な特徴を列挙する。
［技術的特徴１］
ホスト装置に結合されるように構成され、燃料を含む燃料サプライにおいて、
前面フェースと少なくとも１つの機能要素とを有し、
上記少なくとも１つの機能要素は上記燃料サプライ上に形成された基準に応じて配置され、
上記燃料サプライが上記ホスト装置に結合されたときに、上記前面フェースが上記ホスト装置の対応するフェースに対向し、上記基準が上記ホスト装置上の照合基準と照合し、上記少なくとも１つの機能要素が上記ホスト装置上の対応する結合と連結されることを特徴とする燃料サプライ。
［技術的特徴２］
上記ホスト装置は燃料電池が電力供給する電子装置である技術的特徴１記載の燃料サプライ。
［技術的特徴３］
上記ホスト装置は燃料電池である技術的特徴１記載の燃料サプライ。
［技術的特徴４］
上記ホスト装置は充電器である技術的特徴１記載の燃料サプライ。
［技術的特徴５］
上記少なくとも１つの機能要素は上記前面フェース上に配置される技術的特徴１記載の燃料サプライ。
［技術的特徴６］
上記少なくとも１つの機能要素は上記カートリッジの側部上に配置される技術的特徴１記載の燃料サプライ。
［技術的特徴７］
上記少なくとも１つの機能要素は上記カートリッジの頂部上に配置される技術的特徴１記載の燃料サプライ。
［技術的特徴８］
上記少なくとも１つの機能要素は上記カートリッジの底部上に配置される技術的特徴１記載の燃料サプライ。
［技術的特徴９］
上記少なくとも１つの機能要素は上記カートリッジの背面部上に配置される技術的特徴１記載の燃料サプライ。
［技術的特徴１０］
上記前面フェースは実質的に平坦である技術的特徴１記載の燃料サプライ。
［技術的特徴１１］
上記前面フェースは曲面である技術的特徴１記載の燃料サプライ。
［技術的特徴１２］
上記前面フェースは同一平面上にない複数部分を有する技術的特徴１記載の燃料サプライ。
［技術的特徴１３］
上記少なくとも１つの機能要素は上記同一平面上にない複数部分の１つに配置される技術的特徴１２記載の燃料サプライ。
［技術的特徴１４］
上記同一平面上にない複数部分は平行である技術的特徴１２記載の燃料サプライ。
［技術的特徴１５］
上記同一平面上にない複数部分は平行でない技術的特徴１記載の燃料サプライ。
［技術的特徴１６］
上記少なくとも１つの機能要素は上記基準に一致する技術的特徴１記載の燃料サプライ。
［技術的特徴１７］
上記基準は前面フェース上に配置される技術的特徴１記載の燃料サプライ。
［技術的特徴１８］
上記少なくとも１つの機能要素は、遮断バルブ、メモリ記憶装置、機械接続部、電気接続部、油圧接続部、センサ、ロック、ラッチ、燃料充填ポート、再充填バルブ、配向外観、またはガイドを有する技術的特徴１記載の燃料サプライ。
［技術的特徴１９］
上記基準は角の基準を含む技術的特徴１記載の燃料サプライ。
［技術的特徴２０］
上記基準は突出した基準を含む技術的特徴１記載の燃料サプライ。
［技術的特徴２１］
上記基準は幅の基準を含む技術的特徴１記載の燃料サプライ。
［技術的特徴２２］
上記基準は直交する基準点を含む技術的特徴１記載の燃料サプライ。
［技術的特徴２３］
上記基準はノッチの基準を含む技術的特徴１記載の燃料サプライ。
［技術的特徴２４］
上記ノッチの基準は２つの直交する脚部を有する技術的特徴２３記載の燃料サプライ。
［技術的特徴２５］
上記基準はピンの基準を含む技術的特徴１記載の燃料サプライ。
［技術的特徴２６］
上記少なくとも１つの機能要素の位置は上記基準からデカルト座標で測定される技術的特徴１記載の燃料サプライ。
［技術的特徴２７］
上記少なくとも１つの機能要素の位置は上記基準から球座標で測定される技術的特徴１記載の燃料サプライ。
［技術的特徴２８］
上記前面フェースの一部および上記ホスト装置の対応するフェースの一部が標準化されている技術的特徴１記載の燃料サプライ。
［技術的特徴２９］
上記燃料サプライが上記ホスト装置に結合された後の状態で、上記燃料サプライが上記ホスト装置の外部表面の一部を形成する技術的特徴１記載の燃料サプライ。
［技術的特徴３０］
上記燃料サプライが上記ホスト装置に結合された後の状態で、上記燃料サプライが上記ホスト装置の外部表面の一部を形成しない技術的特徴１記載の燃料サプライ。
［技術的特徴３１］
上記基準は特定の燃料に対応して選択される技術的特徴１記載の燃料サプライ。
［技術的特徴３２］
燃料サプライをホスト装置に結合するアダプタにおいて、
上記ホスト装置上の対応する第１の結合部に連結するように構成された少なくとも１つの第１の機能要素を有し、
上記第１の機能要素は上記アダプタ上に配置された第１の基準に対応して配置され、上記第１の基準は上記ホスト装置上の第１の照合基準に照合し、かつ、
上記アダプタは上記燃料サプライに結合され、燃料が上記燃料サプライから上記ホスト装置に輸送されることを特徴とするアダプタ。
［技術的特徴３３］
上記アダプタは上記燃料サプライに少なくとも１つのチューブにより結合される技術的特徴３２記載のアダプタ。
［技術的特徴３４］
上記アダプタはマニホールドにより上記燃料サプライに結合される技術的特徴３２記載のアダプタ。
［技術的特徴３５］
上記アダプタは複数の燃料サプライに結合され、上記燃料サプライが相互に流体連通されている技術的特徴３２記載のアダプタ。
［技術的特徴３６］
少なくとも１つの第２の接続部が上記燃料サプライ上の対応する第２の機能要素に連結するように構成され、上記燃料サプライが機能的に上記ホスト装置に連結され、上記第２の機能要素が上記燃料サプライ上の第２の基準に対応して配置され、さらに、
上記第１の機能要素の上記第１の基準に対する位置が、上記第２の機能要素の上記第２の基準に対する位置と実質的に同一である技術的特徴３２記載のアダプタ。